【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
記録媒体上の複数の連続領域に分割して記録された一連の情報データを処理する情報処理装置であって、
前記記録媒体における前記各連続領域の先頭の位置情報と前記各連続領域のサイズとを関連付ける連続領域管理情報を格納する格納手段と、
前記情報データにおける特定箇所からのデータ読み出し要求に応じて、前記格納手段に格納された前記連続領域管理情報を参照して、前記特定箇所に応じたデータ読み出し位置の位置情報を特定する位置情報特定手段と、
前記位置情報特定手段が特定した前記位置情報に応じた前記記録媒体上の読み出し位置から前記情報データの一部または全部を読み出すデータ読み出し手段と
を具備することを特徴とする情報処理装置。
【請求項２】
前記格納手段が前記情報データの一部について前記連続領域管理情報を格納する場合に、前記データ読み出し要求の前記特定箇所に応じた位置情報を含むように前記連続領域管理情報を更新する更新手段を更に具備することを特徴とする請求項１に記載の情報処理装置。
【請求項３】
前記記録媒体は複数のクラスタから構成され、前記連続領域管理情報は前記各連続領域の先頭のクラスタの情報と前記各連続領域の先頭クラスタから連続するクラスタ数の情報とを含むことを特徴とする請求項１又は２に記載の情報処理装置。
【請求項４】
記録媒体上の複数の連続領域に分割して記録された一連の情報データを処理する情報処理装置であって、
記録された情報データの前記記録媒体における前記複数の連続領域による分割状況に関する分割情報を取得する取得手段と、
前記取得手段が取得した前記分割情報に応じて、前記記録媒体における前記各連続領域の先頭の位置情報と前記各連続領域のサイズとを関連付ける第１の管理情報、および、前記記録媒体における複数の所定のアクセス開始位置を定めるアクセス開始位置情報と前記アクセス開始位置に対応する位置情報とを関連付ける第２の管理情報のいずれかを生成する生成手段と、
前記生成手段が生成した前記第１の管理情報または前記第２の管理情報を格納する格納手段と、
前記格納手段が前記第１の管理情報を格納する場合には、前記情報データにおける特定箇所からのデータ読み出し要求に応じて、前記第１の管理情報を参照して前記特定箇所に応じたデータ読み出し位置の位置情報を特定し、前記格納手段が前記第２の管理情報を格納する場合には、前記情報データにおける特定箇所からのデータ読み出し要求に応じて、前記第２の管理情報を参照して前記特定箇所より手前に位置し、かつ、前記特定箇所に最も近接するアクセス開始位置を特定し、特定された前記アクセス開始位置から前記特定箇所に応じたデータ読み出し位置を探索して位置情報を特定する位置情報特定手段と、
前記位置情報特定手段が特定した前記位置情報に応じた前記記録媒体上の読み出し位置から前記情報データの一部または全部を読み出すデータ読み出し手段と
を具備することを特徴とする情報処理装置。
【請求項５】
前記情報データが所定の種類のデータであるか否かを判別する種類判別手段を更に具備し、
前記データ読み出し手段は、前記種類判別手段の判別に応じて、現時点における記録媒体上の位置から順に検索することで前記特定箇所に応じた読み出し位置まで移動して、前記情報データの一部または全部を読み出す処理、および、前記位置情報特定手段が特定した前記位置情報に応じた前記記録媒体上の読み出し位置から前記情報データの一部または全部を読み出す処理のいずれかの処理を行うことを特徴とする請求項１乃至４のいずれか１項に記載の情報処理装置。
【請求項６】
前記所定の種類のデータは少なくとも動画像および音声のいずれかを含むことを特徴とする請求項５に記載の情報処理装置。
【請求項７】
前記情報データに対する処理種別を判別する処理判別手段を更に具備し、
前記データ読み出し手段は、前記情報データに対する所定の処理に関連した前記読み出し要求に応じて、現時点における記録媒体上の位置から順に検索することで前記特定箇所に応じた読み出し位置まで移動して、前記情報データの一部または全部を読み出す処理、および、前記位置情報特定手段が特定した前記位置情報に応じた前記記録媒体上の読み出し位置から前記情報データの一部または全部を読み出す処理のいずれかの処理を行うことを特徴とする請求項１乃至６のいずれか１項に記載の情報処理装置。
【請求項８】
前記所定の処理は、通常再生処理とは異なる速度で前記情報データを再生する特殊再生処理を含むことを特徴とする請求項７に記載の情報処理装置。
【請求項９】
利用者の操作に応じて特定の情報データに対する再生要求を受け付ける受付手段を更に具備し、
前記位置情報特定手段は前記受付手段が受け付けた前記再生要求に応じて前記記録媒体上の読み出し位置情報を特定することを特徴とする請求項１乃至８のいずれか１項に記載の情報処理装置。
【請求項１０】
前記データ読み出し手段が読み出したデータを処理する再生データ処理手段を更に具備し、
前記生成手段は、前記情報データの一部について前記第１の管理情報または前記第２の管理情報を生成する場合に、前記再生データ処理手段の再生処理中に前記データ読み出し手段が利用する前記情報データの一部についての前記第１の管理情報または前記第２の管理情報を生成することを特徴とする請求項４に記載の情報処理装置。
【請求項１１】
前記情報データを生成する情報データ生成手段と、
前記情報データ生成手段が生成した前記情報データを前記記録媒体に記録する記録手段とを更に具備し、
前記生成手段は、前記記録手段が前記記録媒体に記録した前記情報データについて前記第１の管理情報または前記第２の管理情報を生成することを特徴とする請求項４に記載の情報処理装置。
【請求項１２】
前記記録媒体は前記情報処理装置に対して装着機構により交換可能であって、
前記記録手段が前記記録媒体に前記情報データを記録してから前記データ読み出し要求が行われるまでの間に、前記記録媒体が交換されたか否かを検出する検出手段と、
前記検出手段により前記記録媒体が交換されていないことが検出された場合に、前記データ読み出し手段は、前記記録手段が前記記録媒体に記録した前記情報データについて前記生成手段が生成した前記第１の管理情報または前記第２の管理情報を利用して前記記録媒体からデータの読み出しを行うことを特徴とする請求項１１に記載の情報処理装置。
【請求項１３】
複数の連続領域に分割して一連の情報データを記録している記録媒体にアクセス可能な情報処理装置における情報処理方法であって、
位置情報特定手段が、前記情報データにおける特定箇所からのデータ読み出し要求に応じて、前記記録媒体における前記各連続領域の先頭の位置情報と前記各連続領域のサイズとを関連付ける連続領域管理情報を参照して、前記特定箇所に応じたデータ読み出し位置の位置情報を特定する位置情報特定ステップと、
データ読み出し手段が、前記位置情報特定ステップにおいて特定された前記位置情報に応じた前記記録媒体上の読み出し位置から前記情報データの一部または全部を読み出すデータ読み出しステップと
を有することを特徴とする情報処理方法。
【請求項１４】
複数の連続領域に分割して一連の情報データを記録している記録媒体にアクセス可能な情報処理装置における情報処理方法であって、
取得手段が、記録された情報データの前記記録媒体における前記複数の連続領域による分割状況に関する分割情報を取得する取得ステップと、
生成手段が、前記取得ステップで取得された前記分割情報に応じて、前記各連続領域の先頭の位置情報と前記各連続領域のサイズとを関連付ける第１の管理情報、および、前記記録媒体における複数の所定のアクセス開始位置を定めるアクセス開始位置情報と前記アクセス開始位置に対応する位置情報とを関連付ける第２の管理情報のいずれかを生成する生成ステップと、
位置情報特定手段が、前記生成ステップで前記第１の管理情報が生成された場合には、前記情報データにおける特定箇所からのデータ読み出し要求に応じて、前記第１の管理情報を参照して、前記特定箇所に応じたデータ読み出し位置の位置情報を特定し、前記生成ステップで前記管理情報をが生成された場合には、前記情報データにおける特定箇所からのデータ読み出し要求に応じて、前記第２の管理情報を参照して、前記特定箇所より手前に位置し、かつ、前記特定箇所に最も近接するアクセス開始位置を特定し、特定された前記アクセス位置から前記特定箇所に応じたデータ読み出し位置を探索して位置情報を特定する位置情報特定ステップと、
データ読み出し手段が、前記位置情報特定ステップ特定された前記位置情報に応じた前記記録媒体上の読み出し位置から前記情報データの一部または全部を読み出すデータ読み出しステップと
を有することを特徴とする情報処理方法。
【請求項１５】
コンピュータに、複数の連続領域に分割して一連の情報データを記録している記録媒体にアクセス可能な情報処理装置における情報処理方法を実行させるためのコンピュータプログラムであって、前記情報処理方法が、
前記情報データにおける特定箇所からのデータ読み出し要求に応じて、前記記録媒体における前記各連続領域の先頭の位置情報と前記各連続領域の連続量サイズとを関連付ける連続領域管理情報を参照して、前記特定箇所に応じたデータ読み出し位置の位置情報を特定する位置情報特定ステップと、
前記位置情報特定ステップにおいて特定された前記位置情報に応じた前記記録媒体上の読み出し位置から前記情報データの一部または全部を読み出すデータ読み出しステップと
を有することを特徴とするコンピュータプログラム。
【請求項１６】
コンピュータに、複数の連続領域に分割して一連の情報データを記録している記録媒体にアクセス可能な情報処理装置における情報処理方法を実行させるためのコンピュータプログラムであって、前記情報処理方法が、
記録された情報データの前記記録媒体における前記複数の連続領域による分割状況に関する分割情報を取得する取得ステップと、
前記取得ステップにおいて取得された前記分割情報に応じて、前記記録媒体における前記各連続領域の先頭の位置情報と前記各連続領域のサイズとを関連付ける第１の管理情報、および、前記記録媒体における複数の所定のアクセス開始位置を定めるアクセス開始位置情報と前記アクセス開始位置に対応する位置情報とを関連付ける第２の管理情報のいずれかを生成する生成ステップと、
前記生成ステップで前記第１の管理情報が生成された場合には、前記情報データにおける特定箇所からのデータ読み出し要求に応じて、前記第１の管理情報を参照して、前記特定箇所に応じたデータ読み出し位置の位置情報を特定し、前記生成ステップで前記第２の管理情報が生成された場合には、前記情報データにおける特定箇所からのデータ読み出し要求に応じて、前記第２の管理情報を参照して、前記特定箇所より手前に位置し、かつ、前記特定箇所に最も近接するアクセス開始位置を特定し、特定された前記アクセス位置から前記特定箇所に応じたデータ読み出し位置を探索して位置情報を特定する位置情報特定ステップと、
前記位置情報特定ステップで特定された前記位置情報に応じた前記記録媒体上の読み出し位置から前記情報データの一部または全部を読み出すデータ読み出しステップと
を有することを特徴とするコンピュータプログラム。